(57)【要約】      （修正有）【課題】記憶媒体の寿命を延ばし、かつ記憶媒体のアクセス速度を確保した電子機器の提供。【解決手段】異なる容量のメモリカードを装着可能な電子機器は、メモリカード装着時にメモリカードの容量を検出し記憶しておく。メモリカードのフォーマット処理（Ｓ１００）が指示されると、記憶しておいたメモリカードの容量に基づいて、物理フォーマット（Ｓ１２０）を行うか、クイックフォーマット（Ｓ１３０）を行うか判断（Ｓ１１０）する。物理フォーマットでは、媒体の全面イレーズ処理後にファイルシステムを再構築するが、クイックフォーマットでは、ファイルシステムの再構築のみを行う。【選択図】図２
2011118559.tif 000002
【特許請求の範囲】
【請求項１】
記憶媒体を接続可能な接続手段と、
前記記憶媒体の容量を検出する検出手段と、
前記記憶媒体をフォーマットするフォーマット手段と、を備え、
前記フォーマット手段は、前記検出手段による検出結果に応じて、異なる方法で前記記憶媒体のフォーマットを行う、
電子機器。
【請求項２】
前記フォーマット手段は、前記記憶媒体の容量が所定の容量より大きい場合に、前記記憶媒体へＥｒａｓｅ処理を指示することなく、ファイルシステムの再構築を行うことにより前記記憶媒体のフォーマットを行う、
請求項１に記載の電子機器。
【請求項３】
記憶手段をさらに備え、
前記フォーマット手段は、前記記憶手段の容量に関わらず、前記記憶媒体へＥｒａｓｅ処理を指示することなく、ファイルシステムの再構築を行うことにより前記記憶媒体のフォーマットを行う、
請求項１に記載の電子機器。
【発明の詳細な説明】
【技術分野】
【０００１】
本発明は電子機器に関し、特に、記憶媒体のフォーマット処理を行うことができる電子機器に関する。
【背景技術】
【０００２】
特許文献１は、半導体記録媒体を開示する。この半導体記録媒体は、ホスト機器から全領域の削除が指示されると、簡素化された消去処理を実施する。これにより、半導体記録媒体の全領域を消去する時間を短縮することが可能となる。
【先行技術文献】
【特許文献】
【０００３】
【特許文献１】特開２００５−１３５５４４号公報
【発明の概要】
【発明が解決しようとする課題】
【０００４】
しかしながら、上記特許文献１は、半導体記録媒体の処理については開示しているが、ホスト機器のフォーマット処理の指示については、特に新しい技術を開示していない。
【０００５】
本発明は、装着されている記憶媒体の種類に応じて、適切なフォーマット指示を行い、記憶媒体の寿命をなるべく延ばし、かつ、記憶媒体の必要なアクセス速度を確保できる電子機器を提供することを目的とする。
【課題を解決するための手段】
【０００６】
上記課題を解決するために、本発明にかかる電子機器は、記憶媒体を接続可能な接続手段と、記憶媒体の容量を検出する検出手段と、記憶媒体をフォーマットするフォーマット手段と、を備え、フォーマット手段は、検出手段による検出結果に応じて、異なる方法で記憶媒体のフォーマットを行う。
【０００７】
また、本発明にかかる電子機器において、フォーマット手段は、記憶媒体の容量が所定の容量より大きい場合に、記憶媒体へＥｒａｓｅ処理を指示することなく、ファイルシステムの再構築を行うことにより記憶媒体のフォーマットを行うようにしてもよい。
【０００８】
また、本発明にかかる電子機器は、記憶手段をさらに備え、フォーマット手段は、記憶手段の容量に関わらず、記憶媒体へＥｒａｓｅ処理を指示することなく、ファイルシステムの再構築を行うことにより記憶媒体のフォーマットを行うようにしてもよい。
【発明の効果】
【０００９】
本発明によれば、装着されている記憶媒体の種類に応じて、適切なフォーマット指示を行い、記憶媒体の寿命をなるべく延ばし、かつ、記憶媒体の必要なアクセス速度を確保できる電子機器を提供できる。
【図面の簡単な説明】
【００１０】
【図１】デジタルビデオカメラ１００の構成を示すブロック図
【図２】メモリカードのフォーマット動作を説明するためのフローチャート
【図３】物理フォーマットを説明するためのフローチャート
【図４】クイックフォーマットを説明するためのフローチャート
【図５】内蔵メモリのフォーマット動作を説明するためのフローチャート
【発明を実施するための形態】
【００１１】
〔１．実施の形態１〕
本発明をデジタルビデオカメラに適用した例について図面を用いて説明する。
【００１２】
〔１−１．概要〕
本実施の形態にかかるデジタルビデオカメラ１００は、カードスロット２３０を有する。カードスロット２３０には、メモリカード２４０を装着することができる。デジタルビデオカメラ１００は、装着されているメモリカード２４０をフォーマットできる。
【００１３】
本実施の形態にかかるデジタルビデオカメラ１００は、装着されているメモリカードの種類に応じて、適切なフォーマット指示を行い、メモリカードの寿命をなるべく延ばし、かつ、メモリカードの必要なアクセス速度を確保できる。
【００１４】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。以下、デジタルビデオカメラ１００の構成を詳細に説明する。
【００１５】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１６】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１７】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１８】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１９】
ＣＣＤイメージセンサー１８０は、ズームレンズ１１０等からなる光学系で形成された被写体像を撮像して、映像データを生成する。ＣＣＤイメージセンサー１８０は、露光、転送、電子シャッタなどの各種動作を行う。
【００２０】
画像処理部１９０は、ＣＣＤイメージセンサー１８０で生成された映像データに対して各種の処理を施す。画像処理部１９０は、ＣＣＤイメージセンサー１８０で生成された映像データに対して処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。画像処理部１９０は、ＤＳＰやマイコンなどで実現可能である。
【００２１】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２２】
メモリ２００は、画像処理部１９０及びコントローラー２１０のワークメモリとして機能する。メモリ２００は、例えば、ＤＲＡＭ、強誘電体メモリなどで実現できる。
【００２３】
液晶モニタ２７０は、ＣＣＤイメージセンサー１８０で生成した映像データが示す画像や、メモリカード２４０から読み出した映像データが示す画像を表示可能である。
【００２４】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２５】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２６】
内部メモリ２８０は、フラッシュメモリや強誘電低メモリなどで構成される。内部メモリ２８０は、デジタルビデオカメラ１００全体を制御するための制御プログラム等を格納する。
【００２７】
操作部材２５０は、使用者から画像の撮像指示を受け付ける部材である。ズームレバー２６０は、使用者からズーム倍率の変更指示を受け付ける部材である。
【００２８】
内蔵メモリ２９０は、データを記憶するための記憶媒体である。本実施の形態においては、４ＧＢのフラッシュメモリで構成されている。なお、必ずしもこのような構成である必要はなく、容量は、８ＧＢであってもよいし、１６ＧＢであってもよい。要するに容量は問わない。
【００２９】
〔１−２−２．本発明との対応〕
カードスロット２３０は、本発明の接続手段の一例である。コントローラー２１０は、本発明の検出手段の一例である。コントローラー２１０は、本発明のフォーマット手段の一例である。内蔵メモリ２９０は、本発明の記憶手段の一例である。
【００３０】
〔１−３．メモリカードのフォーマット動作〕
本実施の形態にかかるデジタルビデオカメラ１００がメモリカード２４０のフォーマットを行う際の動作について、図２を用いて説明する。図２は、本実施の形態におけるメモリカード２４０のフォーマット動作を説明するためのフローチャートである。
【００３１】
使用者によりメモリカード２４０のフォーマット処理が選択されると（Ｓ１００）、コントローラー２１０は、メモリカード２４０の容量が３２ＧＢを超えるか否かを判断する（Ｓ１１０）。３２ＧＢ以下であると判断すると、コントローラー２１０は、メモリカード２４０に対して、物理フォーマット処理をする（Ｓ１２０）。一方、３２ＧＢを超えると判断すると、コントローラー２１０は、メモリカード２４０に対して、クイックフォーマット処理をする（Ｓ１３０）。物理フォーマット及びクイックフォーマットについては後述する。
【００３２】
〔１−３−１．物理フォーマット〕
物理フォーマットについて図３を用いて説明する。図３は、物理フォーマットを説明するためのフローチャートである。
【００３３】
物理フォーマット処理が開始されると（Ｓ２００）、コントローラー２１０は、全記憶領域を物理的に完全にＥｒａｓｅするようメモリカード２４０に対して指示する（Ｓ２１０）。Ｅｒａｓｅを指示した後に、コントローラー２１０は、メモリカード２４０内にファイルシステムを再構築する（Ｓ２２０）。これにより物理フォーマットが完了する。
【００３４】
〔１−３−２．クイックフォーマット〕
クイックフォーマットについて図４を用いて説明する。図４は、クイックフォーマットを説明するためのフローチャートである。
【００３５】
クイックフォーマット処理が開始されると（Ｓ３００）、コントローラー２１０は、メモリカード２４０内の物理的なＥｒａｓｅを指示せず、ファイルシステムの再構築のみを行う（Ｓ３１０）。これによりクイックフォーマットが完了する。
【００３６】
〔１−３−３．理由〕
本実施の形態にかかるデジタルビデオカメラ１００は、メモリカード２４０の容量に応じて、フォーマットの方法を変更している。以下、その理由について説明する。
【００３７】
容量の小さいメモリカードは、近年発売された製品ではなく、かなり古くに発売された製品が多い。このようなメモリカードは、書き込み速度が遅い。従って、書き込み速度を確保する必要がある。
【００３８】
仮に、このようなメモリカードにクイックフォーマットを施すとする。このような場合、メモリカードの特定の領域にデータを書き込む際、メモリカードは、指示された特定の領域を一度Ｅｒａｓｅし、その後に書き込みを行うこととなる。このように、クイックフォーマットを行うと、データの書き込みを行うために、Ｅｒａｓｅ処理を行うための余分な時間が必要となる。一方、物理フォーマットを行っておけば、メモリカードにデータを書き込む際に、メモリカード内のＥｒａｓｅ処理を行う必要がなくなる。このため、データの書き込みを高速に行うことができる。
【００３９】
従って、デジタルビデオカメラ１００は、容量の小さいメモリカードに対して、フォーマット処理を行う際に、物理フォーマットを行うこととした。
【００４０】
一方、容量の大きいメモリカードは、近年発売された製品であることが多い。このようなメモリカードは、書き込み速度が高速である。しかしながら、このようなメモリカードは、微細化された半導体プロセスで製造されたものが多い。微細化された半導体プロセスで製造されたメモリカードが有するメモリセルのフローティングゲートは壊れやすい。従って、このようなメモリカードに対して、過度な全領域へのＥｒａｓｅ指示を繰り返すと、メモリカードは、短期間で使用できなくなる。
【００４１】
仮に、このようなメモリカードに物理フォーマットを施すとする。上述した通り、物理フォーマットは、１度フォーマット際に、全面に対してＥｒａｓｅ処理を指示する。従って、このような場合には、メモリカードは、短期間で使用できなくなる。
【００４２】
従って、デジタルビデオカメラ１００は、容量の大きいメモリカードに対して、フォーマット処理を行う際に、クイックフォーマットを行うこととした。
【００４３】
〔１−４．内蔵メモリのフォーマット動作〕
次に、本実施の形態にかかるデジタルビデオカメラ１００が内蔵メモリ２９０に対してフォーマットを行う際の動作について図５を用いて説明する。図５は、内蔵メモリ２９０に対するフォーマット動作を説明するためのフローチャートである。
【００４４】
使用者により内蔵メモリ２９０のフォーマット処理が選択されると（Ｓ４００）、コントローラー２１０は、内蔵メモリ２９０の容量が４ＧＢであるにも関わらず、内蔵メモリ２９０内を物理的なＥｒａｓｅを指示せず、ファイルシステムの再構築のみを行う（Ｓ４１０）。次に、このように制御する理由について説明する。
【００４５】
内蔵メモリはビデオカメラの製造者が選択する。従って、製造者は、小さな容量の内蔵メモリであっても、近年発売された内蔵メモリを選択する。小さな容量の内蔵メモリであっても、近年の微細化された半導体プロセスで製造された内蔵メモリは、上述したのと同様の理由で物理フォーマットに適さない。
【００４６】
従って、本実施の形態においては、内蔵メモリ２９０のフォーマットについては、その容量に関わらず、クイックフォーマットを行うこととした。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００４７】
実施の形態１にかかるデジタルビデオカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００４８】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【産業上の利用可能性】
【００４９】
本発明は、記憶媒体のフォーマットを行うことができる電子機器に適用できる。
【符号の説明】
【００５０】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011118559.tif 000003
【図２】
2011118559.tif 000004
【図３】
2011118559.tif 000005
【図４】
2011118559.tif 000006
【図５】
2011118559.tif 000007